(57)【要約】【課題】動物に用いる造影スキャン装置及びその動物用寝台を提供する。【解決手段】動物用寝台は、管体と、ジョイントと、エンドカバーと、を含む。ジョイントは、管体の一端に配置される。エンドカバーは、管体の他端に配置され、エンドカバー内には、互いに離れて設けられる吸気流路と排気流路とが配置され、エンドカバーには、管体内に位置されて吸気流路に連通される吸気口と、管体内に位置されて排気流路に連通される複数の排気口とが形成され、吸気流路及び排気流路は、管体内に配置されるドラフトチューブをそれぞれ介してジョイントに連通する。【選択図】図２
2018114284.tif 000002
【特許請求の範囲】
【請求項１】
管体と、
前記管体の一端に配置されるジョイントと、
前記管体の他端に配置されるエンドカバーと、を含み、
前記エンドカバー内には、互いに離れた吸気流路と排気流路とが配置され、
前記エンドカバーには、前記管体内に位置されて前記吸気流路に連通される吸気口と、前記管体内に位置されて前記排気流路に連通される複数の排気口とが形成され、
前記吸気流路及び前記排気流路は、それぞれ、前記管体内に配置されるドラフトチューブを介して前記ジョイントに連通することを特徴とする動物用寝台。
【請求項２】
前記管体は、半管部と、当該半管部をカバーして閉鎖する弧状蓋部とを含み、
当該弧状蓋部は、前記エンドカバーに係着されることを特徴とする請求項１に記載の動物用寝台。
【請求項３】
前記管体内に配置される円錐管をさらに含み、
前記円錐管の先端尖状部は、前記吸気口に連通し、
前記複数の排気口は、前記円錐管の外に位置することを特徴とする請求項１に記載の動物用寝台。
【請求項４】
前記管体内に配置される載置板をさらに含み、
前記載置板は、少なくとも一部が前記円錐管に対応して配置されることを特徴とする請求項３に記載の動物用寝台。
【請求項５】
前記エンドカバーは、互いに重ねて配置される第１蓋体と第２蓋体とを含み、
前記吸気流路は、前記第１蓋体に形成され、
前記排気流路は、前記第２蓋体に形成されることを特徴とする請求項１に記載の動物用寝台。
【請求項６】
前記第１蓋体は、前記排気流路をカバーして閉鎖し、
前記第２蓋体は、前記吸気流路をカバーして閉鎖することを特徴とする請求項５に記載の動物用寝台。
【請求項７】
前記エンドカバーは、板状であり、前記吸気流路と前記排気流路とを収容し、
前記排気流路は、前記吸気流路を囲むことを特徴とする請求項５に記載の動物用寝台。
【請求項８】
前記第１蓋体は、前記管体から露出され、
前記第２蓋体は、前記管体内に収容されることを特徴とする請求項５に記載の動物用寝台。
【請求項９】
前記吸気口と前記複数の排気口とは、前記第２蓋体に形成されることを特徴とする請求項５に記載の動物用寝台。
【請求項１０】
前記複数の排気口は、前記吸気口を囲むように配列されることを特徴とする請求項５に記載の動物用寝台。
【請求項１１】
前記管体は、半管部と、当該半管部をカバーして閉鎖する弧状蓋部とを含み、
当該弧状蓋部は、前記エンドカバーに係着されることを特徴とする請求項５に記載の動物用寝台。
【請求項１２】
前記エンドカバーには、複数の換気口が貫通して開設され、
前記複数の換気口のそれぞれは、前記管体の内側と外側とを連通し、前記第１蓋体と前記第２蓋体とを貫通することを特徴とする請求項５に記載の動物用寝台。
【請求項１３】
前記ジョイントには、暖気出口が前記管体内に向けて配置されることを特徴とする請求項１に記載の動物用寝台。
【請求項１４】
機台を含む造影スキャン装置であって、
前記機台は、開口部を有し、
前記開口部の外には、載置台が配置され、
前記載置台は、請求項１に記載の前記動物用寝台の前記ジョイントに突き合わせて接続され、
前記管体の前記エンドカバーが配置される他端は、前記開口部に向けて配置されることを特徴とする造影スキャン装置。
【請求項１５】
前記機台には、スライドレールが配置され、
前記スライドレールは、水平に配置され、
前記載置台は、前記スライドレールに配置され、前記スライドレールに沿って移動することで、前記動物用寝台を前記載置台内に移動させることを特徴とする請求項１４に記載の造影スキャン装置。
【請求項１６】
前記機台は、前記開口部から外部へ延びて形成される突出台を有し、
前記スライドレールは、前記突出台に配置されて前記開口部内まで延びることを特徴とする請求項１５に記載の造影スキャン装置。
【発明の詳細な説明】
【技術分野】
【０００１】
本発明は、造影スキャンに関し、特に、動物に用いる造影スキャン装置及びその動物用寝台に関する。
【背景技術】
【０００２】
従来の造影スキャン装置（例えば、Ｘ線、ＣＴ（コンピュータ断層撮像法；ｃｏｍｐｕｔｅｄ  ｔｏｍｏｇｒａｐｈｙ）、ＭＲＩ（核磁気共鳴画像法；Ｍａｇｎｅｔｉｃ  Ｒｅｓｏｎａｎｃｅ  Ｉｍａｇｉｎｇ）またはＰＥＴ（ポジトロン断層法；Ｐｏｓｉｔｒｏｎ  Ｅｍｉｓｓｉｏｎ  Ｔｏｍｏｇｒａｐｈｙ）などの造影スキャン装置）では、一般的に、動物をスキャンするための機台を含み、機台上に移動可能な載置台が配置され、載置台上に寝台が配置され、寝台内に動物を収容するためのキャビティが形成される。載置台により、寝台を機台に移動させて寝台における動物をスキャンすることが可能である。動物はスキャンされる前に麻酔をかけなければならないので、通常、麻酔ガスを寝台のキャビティに注入して動物に吸入させる。麻酔処置を制御するために、一般的に、動物の口及び鼻をカバー体で覆ってから、麻酔ガスをカバー体に提供するようにしている。一般的に言えば、寝台の一端は、機台に向けて配置され、寝台を機台内に移動させるとき、この一端が先に機台に進入する一方、寝台の他端は、外部パイプにより寝台の作動を妨害しないように外付け麻酔ガス源に接続される。
【発明の概要】
【発明が解決しようとする課題】
【０００３】
しかしながら、このような設計では、使用時に動物が寝台の外付け麻酔ガス源に接続された一端に固定されるため、動物をスキャン領域に移動させるために、載置台を機台に完全に進入させなければならない。そのため、移動機構の大部分を機台内に延びて設けることが必要であり、機構設計の難易度が高い。また、寝台は、外付け暖気源に同時に接続されるため、暖気源と麻酔ガス源とが隣接して配置されるので、麻酔ガスと暖気とが容易に混合して濃度を変化させることになる。
【０００４】
以上に鑑みて、本発明の発明者は、研究と理論の使用とによって、設計が合理的であり、有効に上記の欠点を改善、解決することができる本発明を得た。
【課題を解決するための手段】
【０００５】
本発明は、動物に用いる造影スキャン装置及びその動物用寝台を提供することを目的とする。
【０００６】
上記の目的を達成するために、本発明に係る動物用寝台は、管体と、ジョイントと、エンドカバーと、を含む。ジョイントは、管体の一端に配置される。エンドカバーは、管体の他端に配置され、エンドカバー内には、互いに離れて設けられる吸気流路と排気流路とが配置され、エンドカバーには、管体内に位置されて吸気流路に連通される吸気口と、管体内に位置されて排気流路に連通される複数の排気口とが形成され、吸気流路及び排気流路は、管体内に配置されるドラフトチューブをそれぞれ介してジョイントに連通する。
【０００７】
本発明に係る動物用寝台では、管体は、半管部と、半管部をカバーして閉鎖する弧状蓋部とを含み、弧状蓋部は、エンドカバーに係着される。本発明に係る動物用寝台は、管体内に配置される載置板をさらに含み、載置板は、少なくとも一部が円錐管に対応して配置される。
【０００８】
本発明に係る動物用寝台は、管体内に配置される円錐管をさらに含み、円錐管の先端尖状部は、吸気口に連通し、排気口は、円錐管の外に位置する。
【０００９】
本発明に係る動物用寝台では、エンドカバーは、互いに重ねて配置される第１蓋体と第２蓋体とを含み、吸気流路は、第１蓋体に形成され、排気流路は、第２蓋体に形成される。第１蓋体は、排気流路をカバーして閉鎖し、第２蓋体は、吸気流路をカバーして閉鎖する。エンドカバーは、板状であり、吸気流路と排気流路とを収容し、排気流路は、吸気流路を囲む。第１蓋体は、管体から露出され、第２蓋体は、管体内に収容される。吸気口と排気口とは、第２蓋体に形成される。排気口は、吸気口を囲むように配列される。管体は、半管部と、半管部をカバーして閉鎖する弧状蓋部とを含み、弧状蓋部は、エンドカバーに係着される。エンドカバーには、複数の換気口が貫通して開設され、複数の換気口のそれぞれは、管体の内側と外側とを連通し、第１蓋体と第２蓋体とを貫通する。
【００１０】
本発明に係る動物用寝台では、ジョイントには、暖気出口が管体内に向けて配置される。
【００１１】
また、本発明に係る造影スキャン装置は機台を含む。機台は、開口部を有し、開口部の外には、載置台が配置され、載置台は、上記動物用寝台のジョイントに突き合わせて接続され、管体のエンドカバーが配置される他端は、開口部に向けて配置される。機台には、スライドレールが配置され、スライドレールは、水平に配置され、載置台は、スライドレールに配置され、スライドレールに沿って移動することで、動物用寝台を載置台内に移動させる。機台は、開口部から外部へ延びて形成される突出台を有し、スライドレールは、突出台に配置されて開口部内まで延びる。
【発明の効果】
【００１２】
本発明に係る造影スキャン装置及び動物用寝台では、その吸気口は、エンドカバーが管体のジョイントと対向する一端に配置されるため、造影スキャン装置を使用する際、動物は、エンドカバーが設けられた管体の一端に配置される。動物用寝台を機台内に移動させるとき、この一端が先に機台内に移動するので、動物用寝台の一部を機台内に移動すれば、この一端に動物を固定させることができる。これにより、機構を簡素化することができる。排気口が吸気口を囲むように配置されることにより、各方向から残りの麻酔ガスを確実に回収し、麻酔ガスが管体中に逃げることを回避することができる。円錐管により吸気口と排気口とを分離させることにより、麻酔ガスを動物の鼻部に確実に導く、麻酔ガスが動物に吸入されずに排出されることを回避することができる。また、吸気口及び暖気出口は、それぞれ、管体の両端に配置される。これにより、麻酔ガスと暖気との混合により濃度が変わることを回避することができる。さらに、本発明に係る造影スキャン装置及び動物用寝台は、エンドカバーにより吸気流路及び排気流路を構成することにより、動物用寝台の体積を減少させることができる。
【図面の簡単な説明】
【００１３】
【図１】本発明に係る造影スキャン装置を示す概略斜視図である。
【図２】本発明に係る動物用寝台を示す概略斜視図である。
【図３】本発明に係る動物用寝台を示す分解斜視図である。
【図４】本発明に係る動物用寝台を示す分解斜視図である。
【図５】本発明に係る動物用寝台を示す要部概略図である。
【発明を実施するための形態】
【００１４】
図１に示すように、本発明の好適な実施例に係る造影スキャン装置は、動物をスキャンするための機台１０を含む。機台１０は、開口部１１と、開口部１１から外部へ延びて形成される突出台２０とを有する。突出台２０上にスライドレール３０が配置される。スライドレール３０は、水平に配置され、開口部１１内まで延びる。スライドレール３０上には、載置台４０が配置される。載置台４０は、開口部１１外に位置し、動物用寝台に突き合わせて接続され、スライドレール３０に沿って移動可能である。
【００１５】
図１〜図５を参照する。動物用寝台は、管体１００と、管体１００の一端に配置されるジョイント２００と、管体１００の他端に配置されるエンドカバー３００と、管体１００内に配置される円錐管４００と、管体１００内に配置される載置板５００とを含む。管体１００の両端は、それぞれ、ジョイント２００とエンドカバー３００とに直接に係着されることにより、収容空間Ｒが形成される。ジョイント２００は、載置台４０に突き合わせて接続され、管体１００のエンドカバー３００が配置される一端は、開口部１１に向けて配置される。載置台４０は、スライドレール３０に沿って移動することで、動物用寝台を開口部１１から機台１０内に移動させることが可能である。本発明に係る動物用寝台の構成の具体例については、以下のように説明する。
【００１６】
管体１００は、半管部１１０と、弧状蓋部１２０とを含む。弧状蓋部１２０は、半管部１１０の開放側をカバーすることで、半管部１１０を互いに閉鎖して管体１００を構成する。また、弧状蓋部１２０は、エンドカバー３００に係着することにより、半管部１１０と互いに固定して結合されることができる。本発明に限定される管体１００は、例えば、一体化した管状体であり、その両端がジョイント２００とエンドカバー３００とにそれぞれ係着されてもよい。
【００１７】
ジョイント２００は、造影スキャン装置の載置台４０に突き合わせて接続され、載置台４０を介して機台１０に電気的に接続される。また、ジョイント２００は、麻酔ガにより供給される正圧ガス源及び負圧ガス源にそれぞれ接続されるため、麻酔ガスを管体１００内に供給及び排出することができる。ジョイント２００は、暖気源にさらに接続されており、管体１００内に向けて配置された暖気出口２１０を備える。これにより、ジョイント２００は、暖気出口２１０を介して管体１００の内部に暖気を供給することができる。
【００１８】
エンドカバー３００は、板状又は円板状であり、その中に互いに離れた（隔離して連通されない）吸気流路３０１と排気流路３０３とが配置される。エンドカバー３００には、管体１００内に位置されて吸気流路３０１に連通される吸気口３０２と、管体１００内に位置されて排気流路３０３に連通される複数の排気口３０４とが形成される。吸気流路３０１及び排気流路３０３は、それぞれ、ドラフトチューブ３３０を介してジョイント２００に連通する。また、ドラフトチューブ３３０は、管体１００内に配置される。吸気流路３０１及び排気流路３０３の構成の具体例については、以下のように説明する。本実施例において、エンドカバー３００は、第１蓋体３１０と第２蓋体３２０とを含むことが好ましい。第１蓋体３１０及び第２蓋体３２０は、板状であり、互いに重ねて配置される。第１蓋体３１０は、管体１００から外部へ露出され、第２蓋体３２０は、管体１００内に収容される。弧状蓋部１２０は、第１蓋体３１０に係着されることが好ましい。第１蓋体３１０と第２蓋体３２０とが互いに離れる場合、吸気流路３０１は、第１蓋体３１０の表面に形成された溝に凹んでおり、排気流路３０３は、第２蓋体３２０の表面に形成された溝に凹んでいる。第１蓋体３１０と第２蓋体３２０とが互いに重ねてエンドカバー３００を構成する場合、第２蓋体３２０は、吸気流路３０１をカバーすることで、吸気流路３０１を閉鎖してエンドカバー３００内の管路を構成する。同時に、第１蓋体３１０は、排気流路３０３をカバーすることで、排気流路３０３を閉鎖してエンドカバー３００内の管路を構成する。本実施例において、排気流路３０３は、吸気流路３０１を囲むように配置される。吸気口３０２及び排気口３０４は、第２蓋体３２０に形成され、管体１００内の同じ側に向け、排気口３０４は、吸気口３０２を囲むように配列される。他の実施例において、エンドカバー３００は、一体化した板状であっでもよい。まとめると、エンドカバー３００の板状構造は、動物用寝台の体積を大幅に削減することで、機台１０の内部空間を占めることを回避し、機台１０の体積を減少させることができる。
【００１９】
円錐管４００の先窄まりの一端は、先端尖状部４１０であり、円錐管４００の他端は、先端尖状部４１０に対向する拡径端部４２０である。円錐管４００は、先端尖状部４１０から拡径端部４２０まで拡張される。先端尖状部４１０は、吸気口３０２に連通し、排気口３０４は円錐管４００の外に位置する。
【００２０】
載置板５００は、少なくとも一部が円錐管４００に対応して配置される。本実施例において、載置板５００は、細長い形状であることが好ましく、管体１００の長手方向に沿って延びて配置される。ドラフトチューブ３３０は、載置板５００の下方に配置される。載置板５００の一端は、円錐管４００の位置に対応して配置され、円錐管４００前の下方に延びてもよい。載置板５００は、動物を載置するために用いられ、円錐管４００は、動物の鼻部をカバーすることが可能である。
【００２１】
本発明に係る造影スキャン装置及び動物用寝台が使用される際、動物用寝台のジョイント２００と造影スキャン装置の載置台４０とが突き合わせて接続されることで、動物用寝台の各ドラフトチューブ３３０を正圧ガス源及び負圧ガス源にそれぞれ接続させる。正圧ガス源は、ドラフトチューブ３３０を介して吸気流路３０１に連通され、負圧ガス源は、ドラフトチューブ３３０を介して排気流路３０３に連通される。麻酔ガスは、ジョイント２００を通過して管体１００に供給され、管体１００内に連通するドラフトチューブ３３０を経由して吸気流路３０１に供給されてから、吸気口３０２まで輸送され、円錐管４００の先端尖状部４１０に進入することで、動物に吸入させる。残りの麻酔ガスは、円錐管４００を通過した後、先端尖状部４１０に対向する拡径端部４２０を経由して円錐管４００から逸出する。円錐管４００から逸出した麻酔ガスは、吸気口３０２を囲む排気口３０４を通過して排気流路３０３に吸入されてから、管体１００内に連通するドラフトチューブ３３０を通過してジョイント２００を経由して動物用寝台から排出される。
【００２２】
本実施例において、エンドカバー３００には、複数の換気口３０５が貫通して開設されることが好ましい。換気口３０５のそれぞれは、管体１００の内側と外側とを連通し、第１蓋体３１０と第２蓋体３２０とを貫通する。これにより、管体１００内側と外側との自然換気を行い、余った暖気が換気口３０５を介して管体１００から外部へ逸出することができる。
【００２３】
本発明の利点は次の通りである。
本発明に係る動物用寝台では、その吸気口３０２は、エンドカバー３００が管体１００のジョイント２００と対向する一端に配置されるため、造影スキャン装置を使用する際、動物の鼻及び口は、エンドカバー３００が設けられた管体１００の一端に配置される。動物用寝台を機台１０内に移動させるとき、この一端が先に機台１０内に移動するので、動物用寝台の一部を機台１０内に移動すれば、この一端に動物を固定させることができる。これにより、機構を簡素化することができる。
【００２４】
麻酔ガスの吸気口３０２及び排気口３０４は、エンドカバー３００の同じ側に設けられ、管体１００の収容空間に向けて配置され、管体１００内のドラフトチューブ３３０に連通するので、動物用寝台の内部において麻酔ガスの輸送及び回収を完成させることができる。これにより、使用者は、動物用寝台の管体１００外にその他のドラフトチューブ３３０を接続する必要がなく、動物用寝台を載置台４０に置けばよい。その結果、使い勝手を向上させることができる。
【００２５】
排気口３０４が吸気口３０２を囲むように配置されることにより、各方向から残りの麻酔ガスを確実に回収し、麻酔ガスが管体１００中又は管体１００外に逃げることを回避することができる。
【００２６】
円錐管４００により吸気口３０２と排気口３０４とを分離させることにより、麻酔ガスを動物の鼻部に確実に導く、麻酔ガスが動物に吸入されずに排出されることを回避することができる。
【００２７】
また、吸気口３０２及び暖気出口２１０は、それぞれ、管体１００の両端に配置される。これにより、麻酔ガスと暖気との混合により濃度が変わることを回避することができる。
【００２８】
さらに、本発明に係る造影スキャン装置及び動物用寝台は、エンドカバー３００により吸気流路３０１及び排気流路３０３を構成することにより、動物用寝台の体積を減少させることができる。
【００２９】
以上、本発明の好適な実施例について説明したが、本発明は、上記実施例に限定されるものではない。本発明にあっては種々の変形が可能であって、かかる変形は、特許請求の範囲内に含まれる変形である限り本発明の技術的範囲に含まれる。
【符号の説明】
【００３０】
１０ 機台
１１ 開口部
２０ 突出台
３０ スライドレール
４０ 載置台
１００ 管体
１１０ 半管部
１２０ 弧状蓋部
２００ ジョイント
２１０ 暖気出口
３００ エンドカバー
３０１ 吸気流路
３０２ 吸気口
３０３ 排気流路
３０４ 排気口
３０５ 換気口
３１０ 第１蓋体
３２０ 第２蓋体
３３０ ドラフトチューブ
４００ 円錐管
４１０ 先端尖状部
４２０ 拡径端部
５００ 載置板
Ｒ 収容空間
【図１】
2018114284.tif 000003
【図２】
2018114284.tif 000004
【図３】
2018114284.tif 000005
【図４】
2018114284.tif 000006
【図５】
2018114284.tif 000007